(57)【要約】【課題】        本発明は、物品の内方あるいはＲＦＩＤを設けた物品を梱包箱に入れたような場合に、ＲＦＩＤが故障しても、物品を分解したりあるいは梱包箱から物品を取り出したりすることがない記録媒体を提供することを目的とする。  【解決手段】  ＲＦＩＤシート２と、このＲＦＩＤシート２の一方面に印字可能な印字シート３が剥離可能に仮着された二層シート４から成ることを特徴とする記録媒体１である。  【選択図】    図１ 
2005164739.tif 000002
【特許請求の範囲】
【請求項１】
ＲＦＩＤシートと、このＲＦＩＤシートの一方面に印字可能な印字シートが剥離可能に仮着された二層シートから成ることを特徴とする記録媒体。
【請求項２】
前記二層シートは、帯状の台紙に所定の間隔で複数仮着されてあることを特徴とする請求項１記載の記録媒体。
【請求項３】
帯状の台紙にＲＦＩＤシートと、印字シートと、から成る一組の記録シートを並設し、前記帯状の台紙の長手方向に所定の間隔で仮着されたことを特徴とする記録媒体。
【請求項４】
前記一組の記録シートを連続的に形成し、前記ＲＦＩＤシートと、前記印字シートとを分離可能な切取線を形成したことを特徴とする請求項３記載の記録媒体。
【発明の詳細な説明】
【技術分野】
【０００１】
本発明は、アンテナとＩＣチップとを備え、非接触でデータの交信を行うＲＦＩＤシートと、印字面を有する印字シートと、を形成した記録媒体に関する。
【背景技術】
【０００２】
近年、アンテナとＩＣチップとを備え、ＩＣチップに非接触で電気的なリード／ライトを行う非接触リードライト式ＩＣ(以下、「ＲＦＩＤ」という)が開発されている。
【０００３】
ＲＦＩＤは、バーコードなどの印字領域よりも、小さなＩＣチップに大量の情報を記録でき、無線にて非接触で情報を交信でき、偽造が困難なためにセキュリティにも優れている。
【０００４】
しかしながら、ＩＣチップに記憶された内容は人間の視覚や従来のバーコードリーダでは読みとれないため、ＲＦＩＤをラベルなどで一体形成したＲＦＩＤラベルとして使用されつつあり、ラベルの表面にＩＣチップの内容の一部を文字などで印字し、人間の視覚で認識させたり、あるいはバーコードやＯＣＲなどは光学的読取装置などで読み取り可能とする利用形態が拡大しつつある。
【０００５】
しかしながら、ＲＦＩＤはＩＣチップが静電気や衝撃などに弱く、ＲＦＩＤを物品に取り付けた後にＩＣチップが損傷して、ＩＣチップに記憶した情報が読取りや書込みできなくなるものがある。
このようなことからＲＦＩＤの使用形態に制限されるという問題がある。
また、ＲＦＩＤラベルを外部から見えないような部分、例えば、物品の内方に取付けて、物品の外部からＲＦＩＤと交信するような場合、あるいは、ＲＦＩＤラベルを取付けた物品を梱包箱に入れて梱包箱の外側からＲＦＩＤと交信する場合など、ＲＦＩＤとラベルとが一体形成されたＲＦＩＤラベルでは使用できない問題がある。
【０００６】
このように、ＲＦＩＤラベルを物品の表面に貼付する場合には、ＲＦＩＤと印字面が一体形成にあればＲＦＩＤが故障した場合でも、印字面の印字された文字、バーコード２次元コードを読取ることにより、基本となる情報が呼び出すことができるが、上述したＲＦＩＤラベルを外部から見えないような部分に取付ける場合、または、ＲＦＩＤラベルを取付けた物品を梱包箱に入れたような場合などに、ＲＦＩＤが故障すると、交信することができなくなるとともに、ＲＦＩＤと印字面が一体形成となっているので、他の方法でのＩＣチップの情報が読み出せなくなるとともに、印字自体も認識することができないという問題がある。
【特許文献１】特開平１１−１３４４６０号公報
【発明の開示】
【発明が解決しようとする課題】
【０００７】
本発明は、上記問題にかんがみ、物品の内方あるいはＲＦＩＤを取付けた物品を梱包箱に入れたような場合に、ＲＦＩＤが故障しても、物品を分解したりあるいは梱包箱から物品を取り出したりすることがない記録媒体を提供することを目的とする。
また、ＲＦＩＤのＩＣチップに記憶した情報と、ラベルに印字した情報との同一の情報を、物品に確実に取付ける記録媒体を提供することを目的とする。
【課題を解決するための手段】
【０００８】
本発明は、ＲＦＩＤシートと、印字シートとを別体にすることに着目したので、請求項１記載の発明の要旨は、ＲＦＩＤシートと、このＲＦＩＤシートの一方面に印字可能な印字シートが剥離可能に仮着された二層シートから成ることを特徴とする記録媒体にある。  
また、請求項２記載の発明の要旨は、前記二層シートは、帯状の台紙に所定の間隔で複数仮着されてあることを特徴とする請求項１記載の記録媒体にある。
また、請求項３記載の発明の要旨は、帯状の台紙にＲＦＩＤシートと、印字シートと、から成る一組の記録シートを並設し、帯状の台紙の長手方向に所定の間隔で仮着されたことを特徴とする記録媒体にある。
また、請求項４記載の発明の要旨は、前記一組の記録シートを連続的に形成し、前記ＲＦＩＤシートと、前記印字シートとを分離可能な切取線を形成したことを特徴とする請求項３記載の記録媒体にある。
【発明の効果】
【０００９】
本発明の記録媒体は、物品の内方にＲＦＩＤシートを設けた場合あるいはＲＦＩＤシートを設けた物品を梱包箱に入れたような場合に、ＲＦＩＤが故障しても、物品を分解したりあるいは梱包箱から物品を取り出したりすることがなく、確実に情報を得ることができ、作業性を向上させることができる。
また、ＲＦＩＤのＩＣチップに記憶した情報と、ラベルに印字した情報の同一の固有の識別情報を、同一物品に確実に取付けることができる。
【発明を実施するための最良の形態】
【００１０】
本発明の第一の実施の形態を図１および図２に基づいて説明する。
図１（ａ）は本発明の記録媒体の第一の実施の形態を示した平面図であり、図１（ｂ）は記録媒体のＡ−Ａ断面図であり、図１（ｃ）は変形例を説明する平面図であり、図２は本発明のＲＦＩＤシートを説明する平面図である。
【００１１】
第一の実施の形態の記録媒体１は、ＲＦＩＤシート２と印字シート３（以下、適宜「ラベル」という）とから構成された二層シート４からなる。
ＲＦＩＤシート２は、後述するがＩＣチップ８とアンテナ９を備えたＲＦＩＤを基材シート５に内包され、略長方形の形状を有している。また、基材シート５はＰＥＴ樹脂素材などのフィルムなどから構成されている。
ラベル３は、紙材などから構成され、ＲＦＩＤシート２と略同一又はＲＦＩＤシート２より小さい形状を有し、ラベル３の一方面に粘着剤６が塗布され他方面には印字面を有している。
ＲＦＩＤシート２何れかの面にラベル３に塗布した粘着剤６を介して仮着され、かつ分離可能に設けられている。
ＲＦＩＤシート２のラベル３が仮着される面には、シリコーンなどの剥離剤７が塗布されている。尚、剥離剤７は基材シート５の表面の材質により必要に応じて塗布するようにする。
【００１２】
次にＲＦＩＤシート２について説明する。
ＲＦＩＤシート２は、ＩＣチップ８とアンテナ９を備えたＲＦＩＤを、基材シート５によって内包してある。
ＩＣチップ８は、図示しないが電導レギュレータ、クロック再生回路（ロジック生成）、通信ロジック及び不揮発性メモリなどを備えている。なお、ＩＣチップ８は、アンテナ９と接続されている。
不揮発性メモリとしては、たとえばＥＥＲＯＭが用いられている。このＥＥＲＯＭは電気的に書き換え可能なＲＯＭである。
このような構成において、後述する交信部側からの微弱な電波で呼び出しが行われ、この呼び出しは、たとえば数十ＭＨｚの周波数を信号情報によって、オン／オフするＡＳＫ変調方式が用いられる。  
【００１３】
こうして発生した誘導磁界にＩＣチップ８がかざされると、アンテナ９に起電力が発生する。アンテナ９に発生した起電力は、内部電源とされ、アンテナ９を介して取込まれた信号は、クロック再生回路によって再生された後、不揮発性メモリの情報が読みとられる。読みとられた情報は、アンテナ９から出力され、出力された情報は交信部によって読取られる。
また、ＩＣチップ８に書換える場合にもアンテナ９に起電力を発生させて、不揮発性メモリに情報を書換えるようにすることができる。
【００１４】
このように構成した記録媒体１をＲＦＩＤと交信することができる通信装置を備えた記録装置（図示せず）により、ＲＦＩＤのＩＣチップ８には少なくとも固有の識別情報などを記憶させるとともに、ラベル３の印字面に少なくともＩＣチップ８に記憶された固有の識別情報としてバーコードなどを印字する。
ＩＣチップ８に固有の識別情報が記憶され、ラベル３の印字面に固有の識別情報が印字された記録媒体１は、印字装置から排出時に、ＩＣチップ８に記憶された識別情報と、バーコードとを検証することができる。
検証した記録媒体１は、所定の物品（図示せず）に取り付けるとともに、ラベル３をＲＦＩＤシート２から分離して物品を梱包する包装箱にラベル３を貼着することができる。
【００１５】
このように、ＲＦＩＤシート２のＩＣチップ８に確実に記憶された情報を取付けることができるとともに、ＩＣチップ８に記憶された固有の識別情報を印字したラベル３を分離して梱包箱に貼着することができるので、ＩＣチップ８に記憶された識別情報が読み出すことが困難な状態になった場合でも、ラベル３に印字した情報に基づいて、梱包された物品を特定することができる。
また、記録媒体１はＩＣチップ８に記憶およびラベル３に印字する時は、分離可能に積層構造とし、記録媒体１を取付け時にＲＦＩＤシート２と印字シート３とを、その時点で分離することができ、確実に同一の固有の識別情報を確実に取付けることができる。
【００１６】
尚、記録装置の印字方式としては、サーマルヘッド、インクジェットなどでラベル３に印字することができる。
また、ラベル３の印字とＲＦＩＤシート２のＩＣチップ８に記録とは、別々の装置により印字と記録をすることができる。
さらにまた、ラベルに印字した情報をバーコードとして説明したが、文字、記号や２次元コードなど印字することができる。
【００１７】
次に、第一の実施の形態の変形例について説明する。
尚、第一の実施の形態と同一の部分には同一の符号を付し説明を省略する。
記録媒体１としての二層シート４を帯状の台紙１０に剥離可能に仮着している。具体的には、帯状の台紙１０のシリコーンなどの剥離剤（図示せず）を塗布した面に、二層シート４のＲＦＩＤシート２の面を帯状の台紙１０の長手方向に所定の間隔で複数仮着されてある。尚、ＲＦＩＤシート２の帯状の台紙１０との仮着面には粘着剤（図示せず）を塗布してある。また、帯状の台紙１０の二重シート４と二重シート４との間の台紙の部分１０の幅方向にミシン目１１が施されてある。
このように構成した記録媒体１は、連続状にＲＦＩＤシート２のＩＣチップ８に書込みと、ラベル３に印字することができ作業効率が向上する。
また、ＲＦＩＤシート２の面に粘着剤を塗布することにより、物品に容易に貼着することができ貼着作業の効率が向上する。
【００１８】
次に、第二の実施の形態の記録媒体について説明する。第一の実施の形態と同一の部分には同一の符号を付し説明を省略する。
図３は本発明の記録媒体の第二の実施の形態を示した平面図であり、記録媒体１２は、帯状の台紙１３のシリコーンなどの剥離剤（図示せず）を塗布した面に、ＲＦＩＤシート２と印字シート３とが帯状の台紙１３の幅方向に並べて並設された一組の記録シート１４が仮着され、この一組の記録シート１４を帯状の台紙１３の長手方向に所定の間隔で複数仮着されている。
また、ＲＦＩＤシート２の基材シート５の一方面に粘着剤（図示せず）を塗布し、この粘着剤を介して帯状の台紙１３に仮着している。印字シート３は、一方面に粘着剤（図示せず）が塗布され、他方面に印字することが可能な印字面を形成し、粘着剤を介して帯状の台紙１３に仮着している。
【００１９】
尚、帯状の台紙１３の一組の記録シート１４が仮着された反対の面には、一組の記録シート１４と略同じ所定の間隔で検出マーク（図示せず）が形成されている。この検出マークは、矩形の形状を有し黒色で印刷し、記録装置などに設けられた反射型センサにより検出可能にして、ＩＣチップ８に記憶あるいはラベル３に印字する基準マークである。
また、帯状の台紙１３の一組の記録シート１４と一組の記録シート１４との間の台紙の部分１３の幅方向にミシン目１１が施されてある。
【００２０】
このように構成した記録媒体１２を前述した記録装置（図示せず）により、ＲＦＩＤのＩＣチップ８に固有の識別情報などを記憶し、ラベル３の印字面にＩＣチップ８に記憶された固有の識別情報としてのバーコードを印字する。
ＩＣチップ８に固有の識別情報が記憶され、ラベル３の印字面に固有の識別情報が印字された記録媒体１２は、記録装置から排出時に、ＩＣチップ８に記憶された固有の識別情報と、バーコードとを検証することができる。
検証した各々の一組の記録シート１４は、帯状の台紙１３に形成されたミシン目１１より一組の記録シートごとに、あるいは任意の単位ごとに切り離しすることができる。
ミシン目から切取られた、各々の一組の記録シート１４としてＲＦＩＤシート２とラベル３とが同一の台紙に仮着されており、間違って貼付することがない。
そして、各々の一組の記録シート１４は、所定の物品に取り付ける時に、一組の記録シート１４のうちＲＦＩＤシート２を剥離して物品に貼着し、ＲＦＩＤシート２に並設されたラベル３を剥離して物品に梱包する包装箱に貼着することができる。
【００２１】
このように、ＲＦＩＤシート２のＩＣチップ８に確実に記憶された情報を取り付けることができるとともに、ＩＣチップ８に記憶された固有の識別情報を印字したラベル３を分離して梱包箱に貼着することができるので、ＩＣチップ８に記憶された固有の識別情報が読み出すことが困難な状態（破損等）になった場合でも、ラベル３に印字した情報に基づいて、梱包された物品を特定することができる。
また、記録媒体１２はＩＣチップ８に記憶およびラベル３に印字する時は、一組の記録シート１４として形成されてあり、一組の記録シート１４を物品などに取付け時、他のＲＦＩＤシート２や印字シート３に間違えて物品に貼着することがなく、確実に同一の固有の識別情報を取付けることができる。
【００２２】
次に、第三の実施の形態の記録媒体について説明する。第一または第二の実施の形態と同一の部分には同一の符号を付し説明を省略する。
図４は本発明の記録媒体の第三の実施の形態を示した平面図であり、記録媒体１５は、帯状の台紙１８のシリコーンなどの剥離剤（図示せず）を塗布した面に、ＲＦＩＤシート１６と印字シート１７（以下、適宜「ラベル」という）とが切取線２０を介して連続的に形成され、帯状の台紙１８の幅方向に一組の記録シート１９として仮着され、この一組の記録シート１９を帯状の台紙１８の長手方向に所定の間隔で複数仮着されている。
ＲＦＩＤシート１６は、前述したＩＣチップ８とアンテナ９を備えた基材シート５に内包され構造は同じである。また、印字シート１７は、紙材などから構成され印字可能な面を有している。
【００２３】
ＲＦＩＤシート１６と、印字シート１７との帯状の台紙１８への仮着面には粘着剤（図示せず）を塗布して仮着している。また、印字シート１７は、粘着剤が塗布された他方の面に印字することが可能な印字面を形成している。
尚、帯状の台紙１８の一組の記録シート１９が仮着された他方の面には、前述した検出マーク（図示せず）が形成されている。また、帯状の台紙１８の一組の記録シート１９と一組の記録シート１９と間の台紙部分にミシン目１１が形成してある。
【００２４】
このように構成した記録媒体１５においても、一組の記録シート１９を切取線２０から切り離して、前述のようにＩＣチップ８に記憶された識別情報が読み出すことが困難な状態になった場合でも、印字シート１７に印字した情報に基づいて、梱包された物品を特定することができる。さらに、連続的にＲＦＩＤシート１６のＩＣチップ８に書込みおよびラベル１７印字することができ作業効率が向上する。
また、記録媒体１５はＩＣチップ８に記憶およびラベル１７に印字する時は、一組の記録シート１９として形成されてあり、物品に取付け時にＲＦＩＤシート１６と印字シート１７とを間違えて貼着することがなく、確実に同一の固有の識別情報を取付けることができる。尚、ＲＦＩＤシート１６は、必要に応じて粘着剤を塗布することができる。
【００２５】
第三の実施の形態においてＲＦＩＤシート１６と印字シート１７は、同一の材質が好ましい。また、紙などからなる印字シート１７の一部をＲＦＩＤシート１６に重合するようにして、切取線２０を形成してもよい。
【００２６】
なお、本発明が上記各実施の形態に限定されず、本発明の技術思想の範囲内において、実施の形態は適宜変更され得ることは明らかである。
また、上記各構成部材の数、位置、形状等は上記実施の形態に限定されず、本発明を実施する上で好適な数、位置、形状等にすることができる。
【図面の簡単な説明】
【００２７】
【図１】（ａ）本発明の記録媒体の第一の実施の形態を示した平面図である。（ｂ）同上、記録媒体のＡ−Ａ断面図である。（ｃ）同上、記録媒体の変形例を示した平面図である。
【図２】同上、ＲＦＩＤシートを説明する平面図である。
【図３】同上、記録媒体の第二の実施の形態を示した平面図である。
【図４】同上、記録媒体の第三の実施の形態を示した平面図である。
【符号の説明】
【００２８】
１      記録媒体（第一の実施の形態）         
２      ＲＦＩＤシート
３      印字シート（ラベル）
８      ＩＣチップ
９      アンテナ
１０      帯状の台紙
１２      記録媒体（第二の実施の形態）
１３      帯状の台紙
１４      一組の記録シート
１５      記録媒体（第三の実施の形態）
１６      ＲＦＩＤシート
１７      印字シート（ラベル）
１８      帯状の台紙
１９      一組の記録シート
２０      切取線
【図１】
2005164739.tif 000003
【図２】
2005164739.tif 000004
【図３】
2005164739.tif 000005
【図４】
2005164739.tif 000006